(57)【特許請求の範囲】
【請求項１】
蒸気および液体の並流下降流を有する触媒反応槽ベッセル中での固体混入物の除去、および液体の微細分配トレイへの事前分配のための方法であって、
該触媒反応槽ベッセル内のトレイであって、該トレイ上にスケール収集ゾーンおよび該トレイの縁に位置する堰が備わったトレイを準備する工程と、
該固体混入物が沈降し、かつ、堆積するために、該トレイ上のスケール収集ゾーンに該液体を通す工程と、
該スケール収集ゾーンからの該液体を、該トレイの縁に位置する堰に向けて通す工程と、
該液体を、開口部を通して該微細分配トレイへ通す工程と、
蒸気を、該トレイ上の空間から、該スケール収集ゾーンと該ベッセルの壁との間の流れ領域、および該堰と該ベッセルの壁との間の流れ領域を通して該微細分配トレイに通す工程とを含んでなる、上記方法。
【請求項２】
請求項１に記載の方法であって、該トレイが、反応槽の高さを確保するために該触媒反応槽ベッセルの上部ヘッドの内側、かつ、該ヘッドが該触媒反応槽ベッセルと接合する高さより上に設置されている、方法。
【請求項３】
請求項１に記載の方法であって、該トレイの全部または一部が、反応槽の高さを確保するために該触媒反応槽ベッセルの上部ヘッドの湾曲が開始する点の高さより上に設置されている、方法。
【請求項４】
請求項２に記載の方法であって、導管である入口流路が備えられ、かつ、該触媒反応槽ベッセルの上部に入るプロセスストリームを該トレイに下降させるために使用される、方法。
【請求項５】
請求項４に記載の方法であって、そらせ板が、該導管である入口流路の該プロセスストリームの垂直流速ベクトルの成分を下げるために該スケール収集ゾーンに入る前に使用される、方法。
【請求項６】
請求項５に記載の方法であって、該プロセスストリームが、該スケール収集ゾーンに入る前に該プロセスストリームの水平流速ベクトルの成分を下げるため、該導管である入口流路から有穴壁またはバスケットを通って流れるように管理される、方法。
【請求項７】
請求項１に記載の方法であって、該プロセスストリームが、該スケール収集ゾーンを通り、放射状に外側となる全体的な流れの方向で該堰に向けられる、方法。
【請求項８】
請求項１に記載の方法であって、該各開口部上に等しい液体高を得るために、液体トラフが該スケール収集ゾーンと該堰との間に設けられ、かつ、液体レベルの差異を均一にするために使用される、方法。
【請求項９】
請求項１に記載の方法であって、該開口部が該堰に設けられている、方法。
【請求項１０】
請求項９に記載の方法であって、該開口部が長方形のスロットである、方法。
【請求項１１】
請求項１に記載の方法であって、該トレイが無穴である、方法。
【請求項１２】
請求項１に記載の方法であって、透過性の直立壁が該スケール収集ゾーンを形成し、そして該液体が該透過性の直立壁を通過すると濾過される、方法。
【請求項１３】
請求項１に記載の方法であって、該スケール収集ゾーンが流れの制限材を備える、方法。
【請求項１４】
請求項１に記載の方法であって、該開口部から該微細分配トレイ上の分配ユニット間のレーンに沿った液体の出口方向を可能にするために、該トレイが多角形を有し、そして該堰が該レーンに対して垂直である、方法。
【請求項１５】
請求項１に記載の方法であって、液体ガイド板が、液体を該開口部から該微細分配トレイの液体プールに降ろすために使用される、方法。
【請求項１６】
請求項１に記載の方法であって、該トレイが、二つの触媒床の間の反応槽区に設置される、方法。
【請求項１７】
固体混入物の除去および液体の微細分配トレイへの事前分配のためのデバイスが備わった、蒸気および液体の並流下降流を有する触媒反応槽ベッセルであって、該デバイスが、
該微細分配トレイ上に設置された水平トレイと、
該固体混入物が沈降し、かつ、堆積できる該水平トレイ上のスケール収集ゾーンと、
該水平トレイの縁で、液体レベルを確立するためにトレイの上の上方に延びる堰および該堰の上流の液体トラフと、
該水平トレイ上の空間から該微細分配トレイへ蒸気を通すために、該触媒反応槽ベッセルの壁と該堰との間の該蒸気用の通路と、
液体を該液体トラフから該微細分配トレイに通すための開口部と
を備えた、上記触媒反応槽ベッセル。
【請求項１８】
請求項１７に記載の触媒反応槽ベッセルであって、反応槽の高さを確保するために、該水平トレイが該触媒反応槽ベッセルの湾曲ヘッド内かつ、該触媒反応槽ベッセルの上部ヘッドの湾曲が開始する点の高さより上に設置されている、該触媒反応槽ベッセル。
【請求項１９】
請求項１８に記載の反応槽であって、導管である入口流路が備わっており、かつ、該触媒反応槽ベッセルの上部から入る該プロセスストリームを該水平トレイに下降させるために使用される、触媒反応槽ベッセル。
【請求項２０】
請求項１９に記載の触媒反応槽ベッセルであって、該導管である入口流路の該プロセスストリームが該スケール収集ゾーンに入る前に垂直流速ベクトルの成分を下げるために、そらせ板が提供され、そして使用される、触媒反応槽ベッセル。
【請求項２１】
請求項２０に記載の触媒反応槽ベッセルであって、有穴壁またはバスケットが備えられ、それを通る該プロセスストリームが該スケール収集ゾーンに入る前に該プロセスストリームの水平流速ベクトルの成分を下げるために流れるように管理される、触媒反応槽ベッセル。
【請求項２２】
請求項１７に記載の触媒反応槽ベッセルであって、該プロセスストリームが該スケール収集ゾーンを通って、放射状に外側となる全体的な流れの方向で該堰に向けられる、触媒反応槽ベッセル。
【請求項２３】
請求項１７に記載の触媒反応槽ベッセルであって、該開口部が該堰に設けられている、触媒反応槽ベッセル。
【請求項２４】
請求項２３に記載の触媒反応槽ベッセルであって、該開口部が長方形のスロットである、触媒反応槽ベッセル。
【請求項２５】
請求項１７に記載の触媒反応槽ベッセルであって、該水平トレイが無穴である、触媒反応槽ベッセル。
【請求項２６】
請求項１７に記載の触媒反応槽ベッセルであって、該スケール収集ゾーンが該水平トレイから上方に延びる透過性の壁を備え、該液体が該透過性壁を通過して濾過され、かつ、該固体混入物が該透過性壁の上流に堆積する、触媒反応槽ベッセル。
【請求項２７】
請求項１７に記載の触媒反応槽ベッセルであって、該スケール収集ゾーンが流れの制限材を備える、触媒反応槽ベッセル。
【請求項２８】
請求項１７に記載の触媒反応槽ベッセルであって、該開口部から該微細分配トレイ上の分配ユニット間のレーンに沿った液体の出口方向を可能にするために、該水平トレイが多角形を有し、かつ、該堰が該レーンに対して垂直である、触媒反応槽ベッセル。
【請求項２９】
請求項１７に記載の触媒反応槽ベッセルであって、該開口部からの液体を方向付け、かつ、該微細分配トレイの液体プールに降ろすために液体ガイド板が使用される、触媒反応槽ベッセル。
【請求項３０】
請求項２９に記載の触媒反応槽ベッセルであって、該液体ガイド板が平らであり、かつ、垂直板である、触媒反応槽ベッセル。
【発明の詳細な説明】
【技術分野】
【０００１】
本発明は、スケール収集機能（ｓｃａｌｅ  ｃｏｌｌｅｃｔｉｏｎ  ｆｕｎｃｔｉｏｎａｌｉｔｙ）を有する事前分配トレイ（ｐｒｅｄｉｓｔｒｉｂｕｔｉｏｎ  ｔｒａｙ）に関する。事前分配トレイは一般に、蒸気相および液体相が並流下降して流れているベッセル内の微細（ｆｉｎｅ）分配トレイ上に設置される。このトレイの主目的は液体の微細分配トレイへの事前分配を提供し、より大きなスケールおよび他のより大きい固体混入物をプロセスストリーム（ｐｒｏｃｅｓｓ  ｓｔｒｅａｍ）から除去し、そしてストリームが微細分配トレイに到達する前にプロセスストリームの高い速度を下げることである。事前分配トレイは限定するわけではないが、水素化処理または水素化分解反応槽のようなトリクルベット反応槽または水素化処理反応槽の入口で、高温の水素が豊富な処理ガス（ｔｒｅａｔｇａｓ）および高温の炭化水素液体の事前分配の応用に適している。
【背景技術】
【０００２】
過剰な圧力降下および／または見かけの触媒活性の低下を引き起こす触媒床内または微細分配トレイ上に集まるフィードストリーム中の固体混入物を回避するために、ならびに微細分配トレイを高速ストリームから保護するために、トリクルベット触媒反応槽のような二相並流下降流ベッセル内でのスケール収集または濾過用の、および液体を微細な液体分配トレイに事前分配するための幾つかの取り組みおよびデバイスが提案されてきた。これらの取り組みまたはデバイスの多くが、以下に述べる５つのグループの１つに属する。
【０００３】
グループ１：汚染床の流体バイパス
この取り組みの一例は特許文献１に与えられている。上部触媒床２２にバイパス管２３および２４が設けられている。上部触媒床が清浄で、したがってこの床を渡る圧力降下が低い時、少量の蒸気および液体が管２３および２４を通ってバイパスするように請求されている。上部触媒床は次第に汚染されるようになり、そして床を渡る圧力降下が増すと、大量の蒸気および液体が床をバイパスすることになる。その結果、全体的な反応槽の圧力降下は減少し、そして反応槽の圧力降下がプロセスユニット中のポンプおよびコンプレッサーからの利用可能な圧力を越える前に、プロセスユニットはより長期間、作動状態となる可能性がある。この汚染床の流体バイパスの取り組みは、活性触媒がバイパスされるので、反応物質の生成物への転換が減少する欠点を有する。また、水素化処理反応槽中で、水素が触媒床をまわってバイパスすれば、その触媒床中でコーク生成率が上がる。コーク生成は高率の触媒不活性化、および床圧降下の上昇をもたらす。
【０００４】
汚染触媒床の流体バイパスの別の例は特許文献２に与えられ、ここで流体はバイパス管１を通って、穿孔９を有するケージ２に、触媒床５の下部へとバイパスされる。
【０００５】
グループ２：触媒床に浸漬されたバスケット
これは、より大きなスケールおよび固体混入物が触媒床入口で詰まることを防止するために、水素化処理反応槽で使用された最初の取り組みであった。触媒床に浸漬されたバスケットの例は、特許文献３に与えられている。バスケット３０はセラミックボール３２のように不活性なトッピング層下、そして活性な主触媒床３４の下に浸漬される。バスケット３０の上部の端は通常、不活性なトッピング層３２の上部と同一平面になる。バスケット３０は床への流体流が可能になる流量範囲を上げ、これにより床へ流体が入るための圧力降下を下げる。したがって床の入口が汚染されるようになると、バスケット３０が無い床よりもバスケット３０を有する床の圧力降下の上昇は低い。
【０００６】
床の入口にバスケットを使用する重大な欠点は、バスケット３０が微細分配トレイ１８
により提供される流体分配を有意に悪化する点である。さらに反応物質は、触媒の上部層を渡るバスケットを通ってバイパスされる。その結果、床圧低下を減少するために触媒床の入口でバスケットが使用される場合、見かけの触媒活性が低下する。
【０００７】
グループ３：段階的ガード床（ｇｒａｄｅｄ  ｇｕａｒｄ  ｂｅｄ）
固定触媒床を固体混入物から保護するために、今日、恐らく最も広く使用されている工業的方法は、反応槽の入口に不活性または触媒粒子の段階的ガード床を使用することによる。一般に粒子サイズ、形状および触媒活性が段階的であるので、粒子サイズおよびボイド画分が次第に減少し、そして粒子の触媒活性は反応槽中の下降流体流の方向で次第に増加する。
【０００８】
段階的ガード床の例は特許文献４に与えられている。反応槽１は、主触媒床を固体混入物から保護するために粒子２，３，４，５および６の段階的層を有する。より上層は粒子間の流体流のために広い流路を持つ大きい粒子であり、そしてより下層は、粒子間の流体流のために狭い流路を持つ小さい粒子である。これらの段階的な層を有することにより、固体混入物はそれらが床のさらに下方に移動した後に狭い流路にトラップされることになる。また上層は一般に高いボイド画分を有する。このような二つの理由から、粒子間の空間で固体混入物の堆積に利用できる全容積が上がり、その結果、反応槽の圧低下の上昇速度は段階的ガード床が使用される場合に、より低い。
【０００９】
フィード中の固体混入物の蓄積に関して、段階的ガード床を使用する欠点は、ガード床が反応槽１の直線部分でかなりの高さを占めるという点である。主触媒床を保護するために使用される粒子の段階的層は、触媒活性が低いかまたは触媒活性が無く、結果として反応槽１での反応物質の生成物への転換が低下する。
【００１０】
グループ１、２および３の取り組みおよびデバイスは、微細分配トレイから下方に設置され、すなわち液体の微細分配トレイへの事前分配を提供せず、それらはまた微細分配トレイを汚染または高速ストリームに対して保護することもない。
【００１１】
グループ４：蒸気バイパスが無い濾過トレイ
蒸気バイパスが無い濾過トレイの例は特許文献５に与えられている。全体的なプロセスストリームは強制的にフィルターユニット４を通って流される。蒸気バイパスが無い濾過トレイは固体混入物を除去し、したがって固定触媒床を汚染から保護するので、触媒床を渡る圧力降下の上昇は減少する。代わりに濾過トレイ自体を渡って生じる圧力降下の増加が、増加した反応槽圧低下を生じ、いずれかの時点でフィルターユニットの交換または洗浄のために反応槽の作業停止が必要である。９−１５行、カラム４を参照にされたい。反応槽の作業停止および水素化処理ユニットの反応槽への人的介入は、この操作に時間がかかり、しかも経費もかかることから、通常は触媒の交換時のみに行われる。設計に関する別の欠点は、濾過トレイが液体を微細分配トレイ３に正しい事前分配を提供しない点である。したがって液体がこのトレイの１つの領域から別の領域へ流れる時に、微細液体分配トレイ３上に液体レベルの勾配が生じる恐れがある。これらの液体レベルの勾配は、微細分配トレイの分配性能を下げることになる。
【００１２】
蒸気バイパスが無い濾過トレイの別の例は特許文献６に与えられている。この濾過トレイは粒子４，６および７の環状床を有する。全プロセスストリームは強制的にこれらの粒子床を通って流され、そして固体混入物が粒子床から上流およびその中に堆積することになる。このトレイは特許文献５について述べた欠点と同じ欠点を有する。
【００１３】
グループ５：蒸気バイパスを有する濾過トレイ
蒸気バイパスを有する全ての濾過トレイの利点は、たとえフィルターが詰まっているか
（ｐｌｕｇｇｅｄ）、または満たされて（ｆｕｌｌ）いても、プロセスストリームがトレイを通って流れることができる点である。トレイを渡る圧力降下は、たとえフィルターが満たされている場合でも低い。
【００１４】
蒸気バイパスを有する濾過トレイの第一例は、特許文献７に与えられている。濾過トレイ５には、トレイの中心に蒸気開口が提供されている。堰７がこの蒸気開口を囲み、したがって蒸気チムニー（ｃｈｉｍｎｅｙ）を形成する。トレイ５にはワイヤーメッシュバスケット６が提供されている。操作中、蒸気は蒸気チムニーを通って流れ、液体は堰７の後のトレイ５に集まり、そしてバスケット６に流れ、そしてワイヤーメッシュまたはスクリーン４７を通る。スケールおよび固体混入物はこのようにバスケット６に集められる。この特別な設計の欠点は、濾過トレイが液体の微細分配トレイ４０への良くない事前分配を提供する点である。したがって液体がトレイの一つの領域から別の領域へ流れると、液体レベルの勾配が微細液体分配トレイ４０上で発生する恐れがある。これらの液体レベルの勾配は、微細分配トレイ４０の分配性能を下げることになる。別の欠点は、スケールおよび粒子の収集に必要なバスケット容積を提供するために、濾過トレイの高さが高くならなければならない点である。濾過トレイを収容するために、反応槽の高さは上がらなければならず、これには莫大な追加経費が伴う。
【００１５】
蒸気バイパスを有する濾過トレイの第二例は、特許文献８に与えられている。濾過トレイは、粒子Ｉ，ＩＩ，ＩＩＩおよびＩＶの異なる層を含んでなる濾過床を有する有穴トレイ１からなる（図１）。蒸気チムニー３は、粒子層および有穴トレイ１を通るように道筋を付けられる。操作中、蒸気はチムニー３を通過し、一方、液体は濾過床を通り、そしてトレイ１の穿孔７を通って滴り落ちる。より大きい固体混入物は濾過床の粒子間のボイド空間に蓄積することになる。ある時点で、液体はもはや濾過床を通過できない可能性があり、そして液体は中央管４から微細分配トレイ１０に溢れることになる。ここでもこの設計の欠点は、濾過トレイが液体の微細分配トレイ４０へ良くない分配を提供する点である。これは濾過床が幾つかの領域で固体混入物により詰まり、そしてこの領域を通る液体流が止まる場合に、まさにそうである。濾過トレイが満たされ、したがって液体がオーバーフローパイプ４を通過する場合、全ての液体フィードは反応槽の中心線付近の微細分配トレイ１０に入ることができる。この状況は、反応槽の中心線付近での放射状外側への液体の質量輸送（ｌｉｑｕｉｄ  ｍａｓｓ  ｆｌｕｘ）が大変大きくなるので、微細分配トレイ１０上に大きな液体レベルの勾配を生じることが知られている。液体レベルの勾配は、微細分配トレイ１０の分配性能を下げることになる。別の欠点は、スケールおよび固体混入物の堆積のために、濾過粒子間のボイド空間に必要な容積を提供するために、濾過トレイの高さが高くなければならない点である。濾過トレイを収容するために、反応槽の高さを上げなければならず、これには莫大な追加経費が伴う。
【００１６】
蒸気バイパスを有する濾過トレイの第三の例は、特許文献９および１０に与えられている。この濾過トレイは穿孔１２を有するトレイからなる。３つの異なる層を含む粒状濾過床は、有穴トレイ上にある。このトレイには、蒸気開口６および液体スロット４を有するチムニー３が備えられ、そして円筒状スクリーン８により囲まれている。操作中、蒸気は蒸気開口６およびチムニー３を通って濾過床をバイパスして活性触媒床１０に入る。このサイクルの開始では、濾過床が清浄である時、液体は濾過床そして穿孔１２を通過して活性触媒床１０に入る。濾過床が詰まってくると、液体流は詰まった領域で止まり、そして代わりに液体は液体スロット４およびチムニー３を通過して活性触媒床１０に入る。この濾過トレイの欠点は、濾過床のある部分が詰まるようになると、これらの領域を流れる液体流れは止まり、そして濾過トレイの詰まった領域の下に設置された活性触媒が液体フィードを受けられない点である。
【００１７】
チムニートレイは、触媒床に液体を均一に分配するために広く使用されているが、チム
ニートレイからの均一な液体分配には、全てのチムニーがほぼ同じ液体レベルに暴露される必要がある。上記例で開示された濾過トレイでは、濾過床の流れ抵抗により、ならびに濾過床の幾つかの領域が他の領域よりも汚染されるようになり、そしてこれが床の流れ抵抗をさらに上げるので、全てのチムニーが同じ液体レベルに暴露されることはない。濾過床の大きい流れ抵抗により、上から大量の液体を受けている領域に設置されたチムニー３は、大量の液体を床１０に通すことになり、そして上から少量の液体を受けている領域に配置されたチムニー３は、少量の液体を床１０に通すことになる。活性触媒床１０への不均一な液体フィード分配の結果は、反応物質の生成物への全体的に低い転換、および活性触媒床１０中の放射状の温度差となる。濾過トレイの別の欠点は、特許文献９の図１に示すようにトレイを反応槽の直線部分に設置しなければならない点、ならびにスケールおよび固体混入物の堆積のために、濾過粒子間のボイド空間に必要な容積を提供するために、濾過トレイの高さが高くなければならない点である。水素化処理反応槽のいかなる追加の高さも、莫大な追加経費が伴う。
【先行技術文献】
【特許文献】
【００１８】
【特許文献１】米国特許第４，３８０，５２９号明細書
【特許文献２】米国特許第６，６９２，７０５号明細書
【特許文献３】米国特許第３，１１２，２５６号明細書
【特許文献４】米国特許第４，６１５，７９６号明細書
【特許文献５】米国特許第３，９５８，９５２号明細書
【特許文献６】米国特許第４，２３９，６１４号明細書
【特許文献７】米国特許第３，８２４，０８１号明細書
【特許文献８】米国特許第８，４８７，１５１号明細書
【特許文献９】米国特許第８，３２９，９７４号明細書
【特許文献１０】米国特許出願第ＵＳ２０１３／００６４７２７Ａ１号明細書
【発明の概要】
【００１９】
本発明によるスケール収集および事前分配トレイは、蒸気および液体の下降並流を有するベッセル内で、微細分配トレイから上流で使用するためのものである。本発明のトレイは上記のグループ５：蒸気バイパスを有する濾過トレイに分類することができる。
【００２０】
本発明の収集および事前分配トレイの３つの主目的は：
１．微細分配トレイおよび触媒床入口の汚染および詰まりを防止するために、微細分配トレイおよび触媒床から上流のプロセスストリームからスケールおよび他のより大きい固体混入物を除去すること。
２．液体が微細分配トレイの一領域から別の領域へ水平方向に流動している時、微細分配トレイ上の液体レベルの勾配を減らすために、液体の微細分配トレイへの事前分配。
３．微細な液体分配トレイへの入口で、高い流体の流速を解消し（ｂｒｅａｋ  ｕｐ）（下げ）、そして低い流体の流速を提供すること。
【００２１】
本発明のトレイは、蒸気バイパスを有するグループ５の濾過トレイの上記利点を有するが、蒸気バイパスを有するグループ５の既存の濾過トレイは、微細分配トレイへの液体の適切な事前分配を提供しないが、本発明のトレイは提供する。またバイパスを有するグループ５の既存の濾過トレイとは異なり、本発明のトレイはスケールおよび固体混入物の堆積用に湾曲したベッセルヘッド内の容積の良好な利用性を可能とし、したがってそのようなトレイの使用は通常、ベッセル外装に必要となる高さおよび経費を増加しない。
【００２２】
本発明の一つの態様は、トレイの縁にスロット型の直立した堰を有する多角形の無穴トレイである。反応槽の中心線とスロット型の堰との間に、スクリーン、フィルターまたは
ワイヤーメッシュ壁のような直立したスケール収集壁が設置される。各スロットを通る等しい液体流速を確実にするため、液体レベルを均一化するためのスケール収集壁とスロット型の堰との間の液体トラフがこのように形成される。スロット型の堰のスロットは、好ましくは微細な液体分配トレイ上の分配ユニット間のレーンに沿った方向に液体を出すので、スロットからの液体は微細な液体分配トレイ上の分配ユニットの蒸気入口には入らない。スロット型の堰から反応槽の壁に向かって外側に延びる垂直の液体ガイド板は、スロットからの液体を微細分配トレイ上の液体プールに下向けるために使用することができる。トップノズルを通ってベッセルに入るプロセスストリーム、そして特にこのプロセスストリームの液体画分は、好ましくは入口流路を通って無穴トレイ付近の位置に下げられる。
【００２３】
本発明のトレイは、全ての液体が透過性のスケール収集壁を通過しなければならないように設計されている。透過性壁の開口のサイズより大きいスケールおよび粒子は、壁から上流のスケール収集ゾーンに堆積することになる。液体は透過性壁を通過し、そして安定かつ水平の液体レベルが確立される液体トラフに入る。液体トラフからの液体は、スロット型の堰中のスロットを通って微細分配トレイに分配される。入口流路からの蒸気は、上方に、そしてスケール収集壁を越えて、次いでスロット型の堰を越えて、そして多角形トレイと反応槽壁との間の開放領域を通って微細分配トレイへと流すことにより、スケール収集および事前分配トレイをバイパスする。
【図面の簡単な説明】
【００２４】
【図１】水素化処理トリクルベット反応槽のやや概略的な断面図であり、二床の固体触媒粒子を有する反応槽中の触媒および内部構成要素の典型的な配置、ならびに反応槽の上部ヘッド内のスケール収集および事前分配トレイの典型的な位置を表す。
【図２】図２Ａ、２Ｂ、２Ｃ、２Ｄおよび２Ｅは、反応槽ベッセルの上部ヘッドに設置された本発明のスケール収集および事前分配トレイの一態様の概略図である。図２Ａは図２ＢのＡ−Ａ線に沿って取った上部反応槽ヘッドの垂直面断面図である。図２Ｂは図２ＡのＢ−Ｂ線に沿って取った反応槽ヘッドの水平断面図である。図２Ｃは図２ＢのＣ−Ｃ線に沿って取った液体ガイドの側面図である。図２Ｄは図２ＢのＤ−Ｄ線に沿って取った液体ガイドの側面図である。図２Ｅは図２Ａに示すスロット型の堰の二つのスロットの拡大側面図である。
【図３】操作中、図２Ａに示す構造のやや概略的な表示である。
【図４】全ての液体が反応槽壁付近に供給された時に、反応槽の直径および反応槽中の液体体積流量の関数としての米国特許第７，５０６，８６１号明細書の微細分配トレイの最大のレベル差のプロットである。
【図５】図５Ａ、５Ｂおよび５Ｃは、本発明のスケール収集および事前分配トレイのスロット型の堰およびトレイプレート中の異なる種類の開口部の側面図である。
【図６】トレイの形が方形である本発明のスケール収集および事前分配トレイの態様の上面図である。
【図７】トレイの形が六角形である本発明のスケール収集および事前分配トレイの態様の上面図である。
【図８】図８Ａおよび８Ｂは、反応槽ベッセルの上部ヘッドに設置された本発明のスケール収集および事前分配トレイの一態様の概略図である。図８Ａは上部反応槽ヘッドの垂直面断面図である。図８Ｂはスロット型の堰の二つのスロットの拡大側面図である。
【図９】図９Ａおよび９Ｂは、反応槽ベッセルの上部ヘッドに設置された本発明のスケール収集および事前分配トレイの一態様の概略図である。図９Ａは上部反応槽ヘッドの垂直面断面図である。図９Ｂはスロット型の堰の二つのスロットの拡大側面図である。
【００２５】
本発明の別の態様には、限定するわけではないが図面に示す設計を含む。
【発明を実施するための形態】
【００２６】
詳細な説明
水素化処理トリクルベット反応槽で起こる反応は発熱性である。したがって反応物質が水素化処理触媒の存在下、高温および圧で生成物へ転換される時、反応中に熱が放出され、そして温度の上昇を引き起こす。
【００２７】
工業用の水素化処理反応槽では、反応物質の二相混合物が固体触媒粒子の床を通って流れる。そのような反応槽中での理想的な流れのパターンは栓流であり、この場合、液体は反応槽の断面積の全ての点で（空の反応槽に基づき）同じ速度で下方に流れている。理想的な栓流の場合では、これは蒸気相にもあてはまる。蒸気は反応槽の断面積の全ての点で（空の反応槽に基づき）同一速度で下方に流れている。
【００２８】
工業用の反応槽では、栓流は床入口での理想的ではない液体分布、不均一な触媒の負荷、および／または触媒粒子間のボイド空間での堆積／コークの存在により達成されない。
【００２９】
トリクルベット反応槽へのフィードストリームは、上流の炉管およびフィード／エフルエント（ｆｅｅｄ／ｅｆｆｌｕｅｎｔ）熱交換器管からのコークスケール、上流の配管および装置からの硫化鉄のような腐食産物、および上流のプロセスシステムからの他の粒状不純物を含む。これらの固体混入物は微細分配トレイ上に集まる傾向があり、このトレイの開口部に詰まり、そして触媒床への蒸気および液体の不均一な分配を引き起こす。また固体混入物は、触媒床の上にも堆積し、二つの望ましくない結果をもたらす：
１．床のある領域への入口の部分的な詰まりは、さらに触媒床への蒸気および液体の分配を悪化する。
２．床の圧力低下の増加。
【００３０】
触媒床での蒸気および液体の不均一な分配は、以下の結果をもたらす：触媒床のある領域では液体流速は平均より高く、そして蒸気速度は平均より低い。蒸気に対して高い液体の熱容量により、温度上昇（例えば流路１メートルあたりの℃で）はこれらの領域で低い。触媒床の他の領域でも同様に、液体流速は平均より低く、そして蒸気速度は平均より高い。ここでも蒸気に対して高い液体の熱容量により、温度上昇（例えば流路１メートルあたりの℃で）はこれらの領域で高い。
【００３１】
その結果、たとえ反応槽の入口で反応物質の混合物が均一な温度を有しても、流体が床を通過している時、触媒床のある領域では他よりも高くなる。さらに反応速度は温度が上がると高くなるので、この効果は加速される傾向がある。触媒床の高温領域は高い反応速度を有し、そしてこれらの領域では低温領域よりもさらに一層
熱が放出される。
【００３２】
触媒床の高温領域と低温領域の間での反応速度の差異により、流体の化学組成の差異も発生する。
【００３３】
水平面での温度および化学組成の非均一性は、幾つかの悪い効果を有する：
全ての水素化処理触媒が操作中に不活性化する。触媒の活性低下を補うために、操作中、平均床温度が上げられる。ある時点で、操作の終了時に、触媒床のピーク温度がその最高許容値に達する。この点で、全てのプロセスユニットはシャットダウンされる必要があり、そして触媒は再生または置き換えられなければならない。ここで今、水平板の温度が不均一であると、操作の終了はより早期段階に、しかも低い平均床温度で起こることになる。不均一な温度により生じるより頻繁なシャットダウンは、生産の損失、触媒消費および追加の労働力と言う意味でリファイナーに対して高い経費がかかる。
【００３４】
非均一性の別の影響は、化学的転換の程度が不均一な点である。反応物質のある画分は高い程度で転換されることになるが、反応物質の残りの画分は転換される程度が低い。この結果は、より低い全体的な製品品質を招くことが多い。
【００３５】
固体混入物での床の入口の部分的な詰まりにより生じる触媒床の圧力降下の増加は、リサイクルガスループの圧力降下を増し、したがってリサイクルガスコンプレッサーおよび供給ポンプに必要なヘッドを上げる。幾つかの点で、この回転機械装置に関する設計上の限界に達する可能性があり、プロセスユニットの不十分（ｐｒｅｍａｔｕｒｅ）なシャットダウンで、触媒のスキミング、再生または交換に必要になる。上に述べたように、不十分なシャットダウンは生産の損失、触媒消費の増加および追加の労働力と言う意味でリファイナーに対して高い経費がかかる。
【００３６】
触媒床の水平面での温度および化学組成の非均一性、および高まる床の圧力降下は、工業用の水素化処理反応槽では避けられない。しかし非均一性および高まる圧力降下は、適切な反応槽の内部構造（ｉｎｔｅｒｎａｌｓ）を設置することにより最少にすることができる。
【００３７】
フィード／反応物質が最初に入る第一の触媒床については、フィードストリームからより大きな固体混入物を除去するために、反応槽への入口ストリームの高い速度を解消する（下げる）ために、そして液体を事前分配するために良好なスケール収集および事前分配トレイが必要である。触媒床の断面上に液体および蒸気の等しい分配を確実にするために、良好な微細分配トレイが、スケール収集および事前分配トレイの下に備えられる必要がある。
【００３８】
任意に続く触媒床（１もしくは複数）についても、反応槽の断面上に液体および蒸気の均一分配を確実にするための良好な微細分配トレイが必要である。しかし続く触媒床への入口ストリームは、上流の触媒床からの出口ストリームであり、ここでは床の出口に非均一な温度および化学組成が存在することになる。したがって上流の触媒床と微細分配トレイとの間に配置される混合デバイスを有することが必須となる。そうしなければ温度および化学組成の非均一性は、１つの床から次の床へと進み、悪化するかもしれない。混合デバイスの目的は、温度および組成に関して平衡化された出口ストリームを生成することである。
【００３９】
反応槽内側の流体よりも低温の急冷流体は、１つの触媒床からの高温の流出液が次の床に入る前に冷却するために、二つの隣接する触媒床の間で水素化処理反応槽に注入されることが多い。これにより等温条件に近い反応槽の操作が可能となり、これは作動時間の上昇および生成物の品質向上という点で幾つかの利点を有する。この場合、混合デバイスのさらなる目的は、低温の急冷ストリームを一つの触媒床からの流出液と混合して、ストリームが次の触媒床へ入る前に熱および組成の平衡化を達成することである。
【００４０】
これから図面に言及し、図１は壁２、上部湾曲ヘッド３、下部湾曲ヘッド４、触媒粒子
の第一または上部床５、および触媒粒子の第二または下部床６を有する一般的な水素化処理反応槽１の見取り図を表す。図１は、触媒床および他の反応槽の内部構造に対して本発明のスケール収集および事前分配トレイ１０の典型的な位置を定めることを意図している。反応物質は入口ノズル７を通って反応槽１に入る。流体は、より大きな固体混入物を除去し、そして米国特許第７，５０６，８６１号明細書の分配トレイのような微細分配トレイ１１に液体を事前分配するスケール収集および事前分配トレイ１０に入る。微細分配トレイ１１は蒸気および液体を、スクリーンまたは触媒支持グリッド１２上にある第一触媒床５の断面にわたって均一に分配する。触媒の大重量により、そして触媒床を通る流体流により導入される力により、大きい力が通常、触媒スクリーンまたは支持グリッド１２に作用している。したがって支持梁１３は通常、これらの力を吸収するために必要とされる。触媒支持システムの下に、米国特許７，２７６，２１５明細書の混合デバイスのような混合デバイス１５が設置される。急冷流体は急冷ノズル８および急冷分散器１４を通して加えることができる。ミキサーの下の衝突デバイス１６は混合デバイス１５を出るジェットの高速を解消する（下げる）ために使用され、そして第二の事前分配トレイ１７を液体の事前分配のために衝突デバイス１６の下に設置することができる。ミキサー１５の下に、米国特許第７，５０６，８６１号明細書の分配トレイのような第二の微細分配トレイ１８が設置され、これは蒸気および液体を、通常は下部反応槽ヘッド４に乗っている不活性粒子またはボール（示さず）上にある第二触媒床６の断面にわたって均一に分配する。反応槽からの生成物は出口ノズル９を通って出る。
【００４１】
反応槽１は二つの触媒床５，６を用いて表すが、水素化処理反応槽は唯一の触媒床のみを有してもよい。同様に、水素化処理反応槽に使用される触媒床の数は２より多くてもよい。
【００４２】
図２Ａ、２Ｂ、２Ｃ、２Ｄおよび２Ｅは、本発明のスケール収集および事前分配トレイの一態様を有する上部反応槽ヘッドを簡略化した図面である。反応槽ベッセルは円筒状の壁２３、および湾曲上部ヘッド２２を有する。反応槽はベッセルへの人的介入のための人道２５、およびベッセルへの流体導入のための入口ノズル２１を有する。碁盤目配列上に配列された複数の分配ユニット３４を有する微細分配トレイ３３が反応槽に設置される。各分配ユニットは蒸気入口４５を有する。スケール収集および事前分配トレイ２０は、微細分配トレイ３３の上流に設置され、そして複数のスロット３５が提供された直立した垂直スロット型の堰３１を備えた八角形の無穴トレイ板３２からなる。円形の無穴底板２９を備えた円筒状入口流路２６を使用して、入口ノズル２１からの液体をできる限りトレイ板３２近くに向ける。円形のそらせ板２４を使用して、入口ノズル２１を通って反応槽に入る二相ストリームの高速を解消する（下げる）。環状リング２７は、液体を入口流路２６のできる限り下で得るために、液体を入口流路２６の中心に向けるために使用される。入口流路２６には穿孔２８が提供されて蒸気および液体が入口流路２６を放射方向に出ることができるようになる。
【００４３】
入口流路２６とスロット型の堰３１との間に、任意のスケール収集壁３０を設置してもよく、この壁の上流にスケール収集ゾーンを形成する。スケール収集壁３０が存在する場合、それはスクリーンまたはワイヤーメッシュスケール収集壁のように透過性壁である。スケール収集壁３０（存在する場合）と上部反応槽ヘッド２２との間、およびスロット型の堰３１と上部ヘッド２２との間に、蒸気流をバイパスするための自由空間が提供されなければならない。トレイ板３２と分配ユニット３４との間で内側放射状の蒸気流を可能とするために、トレイ板３２は分配ユニット３４の上で十分な高さに上げられなければならない。
【００４４】
液体が分配ユニット３４の蒸気入口４５に入ると、その分配ユニットを通る液体流は通常、過大となり、そして図１の上部触媒床５への液体の不均等分布を生じることになる。
したがってトレイ３２の形状は好ましくは、そして有利には八角形であり、スロット３５を通る液体流の方向３６が微細分配トレイ３３上の分配ユニット３４間のレーンに沿うようにする。この設計で、分配ユニット３４の蒸気入口４５に入る液体の量は有意に減少し、したがって微細分配トレイ３３の分配性能が向上する。
【００４５】
分配ユニット３４の蒸気入口４５に入る液体量をさらに減少することは、任意の液体ガイド３７（図２Ｃおよび２Ｄ）の使用により達成され得る。液体ガイド３７は、スロット型壁３１の外側でスロット３５の両側に配置される二つの垂直板３８および３９からなる。この板３８および３９は各分配ユニット３４の蒸気入口４５の下に下がって伸び、したがって板３８および３９はスロット３５から出る液体を微細分配トレイ３３上の液体プールへ導く。底板３６は各スロット３５から落ちる液体の垂直速度を解消または下げるために、そして設計の機械的強度を上げるために使用することができる。液体ガイド３７は、スロット型の堰３１と上部反応槽ヘッド２２との間の下降方向、および事前分配トレイ２０と微細分配トレイ３３との間の放射状内側方向の蒸気流のために開いているように設計された。
【００４６】
図３は操作中の図２Ａの装置の概略図である。二相のフィードストリームが入口ノズル２１を通って反応槽に入る。高速の入口ストリームはそらせ板２４に衝突し、そして垂直の速度成分が減少する。入口流路２６は、二相ストリームをスケール収集および事前分配トレイ２０のトレイ板３２に向けて下降させる。環状リング２７は液体を入口流路２６の中心に向け、そして液体は入口流路２６の底に向かって導かれる。二相ストリームは穿孔２８を通って入口流路２６を出る。入口流路２６とスケール収集壁３０との間の容積では、蒸気が液体４１および固体混入物４０から分けられる。蒸気はスケール収集壁３０の上を越えて、そしてスロット型の堰３１の上を越えて、道４４に沿って微細分配トレイ３３へと流れる。
【００４７】
液体４１および固体混入物４０は、スケール収集壁３０から上流のスケール収集ゾーンのトレイ板３２に集まる。スケールおよび固体混入物４０はスケール収集ゾーンで重力により沈降する傾向があり、そして透過性のスケール収集壁３０の上部は液体流のために開いている。液体４１は透過性スケール収集壁３０を通って濾過され、スケールおよび固体混入物４０がスケール収集ゾーンにトラップされ残る。スケール収集壁３０からの液体は液体トラフ４２に集まり、そして安定で、しかもほぼ水平の液体レベルが液体トラフ４２で樹立される。液体トラフ４２からの液体は、スロット型の堰３１のスロットを通って微細分配トレイ３３上の液体プール４３に流れる。液体トラフ４２での安定で、しかもほぼ水平の液体レベルにより、スロットを通る液体の流速は同一に近い。スロットからの液体ストリームは、分配ユニット３４間の微細分配トレイ３３上の液体プール４３に入るので、液体は蒸気開口４５には入らない。
【００４８】
図２および３で説明するように、液体は反応槽壁２３付近の微細分配トレイ３３に供給され、そして液体は続いて微細分配トレイ３３を内側放射状方向にわたって、トレイ板３２の下に設置された分配ユニット３４に流れなければならない。しかし図４に示すように、微細分配トレイ３３上の反応槽壁２３から微細分配トレイ３３の中心に向けての液体の内側放射状の流れの方向は、微細分配トレイ３３上にいかなる有意な液体レベルの勾配も生じないことが示された。図４は全ての液体が反応槽壁２３に隣接する領域に均一に分配された場合、反応槽１の直径の関数として、および反応槽１中の体積液体流量（ｖｏｌｕｍｅｔｒｉｃ  ｌｉｑｕｉｄ  ｆｌｕｘ）の関数として、米国特許第７，５０６，８６１号明細書に従い設計された微細分配トレイ３３上の最大液体レベル差のプロットである。グラフから分かるように、微細分配トレイ３３をわたって流れる液体による最大液体レベルの差異は、全ての標準的な水素化処理の応用について１ｍｍ未満であり、これは製造および取り付け公差から生じる、および液体プール４３上の蒸気空間での圧力差から生じる
微細分配トレイ３３上のレベル差と比較して無視できる。
【００４９】
微細分配トレイ３３上の液体レベルの低い差は、スケール収集および事前分配トレイ２０から微細分配トレイ３３への液体の良好な事前分配の結果である。入口ノズル２１からの液体が微細分配トレイ３３の狭い領域に供給される場合、有意なレベルの勾配が生じることになり、そしてこのようなレベルの勾配は微細分配トレイ３３の液体分配性能を悪化することになる。より高い液体レベルに暴露された分配ユニット３４は、より低い液体レベルに暴露された分配ユニット３４よりも一般に多くの液体を第一または上部の触媒床５に通すことになる。トレイ板３２の液体開口またはチムニーは、液体をスケール収集および事前分配トレイ２０の下に設置された微細分配トレイ３３の領域に分配するために使用することができる。しかしそのような開口またはチムニーは、トレイ板３２に堆積する固体混入物４０で詰まり易く、そして図４から分かるように、そのような液体開口またはチムニーは微細分配トレイ３３上の液体レベル差がすでに低いので必要ではない。
【００５０】
堰３１の開口は、図２Ｅに示すように必ずしも長方形スロット３５である必要はない。図５Ａ，５Ｂおよび５Ｃに示すように他の形状を使用することもできる。異なるサイズ、そして異なる高さに配置された円形の穴４６、およびＶ−字形の刻み目４７は、堰３１内の可能な開口の他の例である。またトレイ板３２を通る液体流用の開口４８は単独で、または堰３１内の開口４９と組み合わせて使用することができる。
【００５１】
図２および３では、スケール収集壁３０およびスロット型の堰３１が垂直に示されている。しかし上部反応槽ヘッド２２内で利用可能な容積をより良く利用するために、角度付または湾曲のような他の形状の収集壁３０および堰３１も使用することができる。
【００５２】
図２Ｂでは、トレイ板３２が八角形で示されている。しかし高い蒸気流を有する反応槽については、スロット型の堰３１と上部反応槽ヘッド２２との間の蒸気流領域を上げるために、図６に示すように方形のトレイ板３２が使用されることになる。八角形または方形のトレイ板３２は、分配ユニット３４が碁盤目配列に配列されている場合に最も適している。それというのもこの場合はスロット型の堰３１が分配ユニット３４の間のレーンに対して垂直になるからである。これによりこれらのレーンに沿っているスロット３５を通る液体流の方向５６が可能になるので、スロット３５からの液体は分配ユニット３４の蒸気入口４５にはほとんど入らないか、全く入らない。
【００５３】
トレイ板３２は他の形状を有してもよい。例えば分配ユニット３４が三角形配列に配列されるならば、スロット３５を通る液体流の方向５６が微細分配トレイ３３の分配ユニット３４間のレーンに確実に沿うようにするために、図７に示すように六角形のトレイ板３２が最適になる。ここでもこれはスロット３５からの液体が分配ユニット３４の蒸気入口４５に入ることを防ぐためである。
【００５４】
スケール収集壁３０もまた異なる形状を有してよい。これらの形状には図２Ｂおよび６に示すような多角形、図７に示すような円形または他の形状を含む。
【００５５】
図２および３に示す態様では、スケールおよび固体混入物４０が集められるスケール収集ゾーンは透過性のスケール収集壁３０から上流のゾーンである。しかしスケール収集ゾーンは図８および９に説明するような静かな流れのゾーン（ｃａｌｍ  ｆｌｏｗ  ｚｏｎｅ）５０であることもできる。静かな流れのゾーン５０は、バッフル、グリッド、ワイヤーメッシュ、粒子の充填層、または不規則もしくは構造化緩衝材のような緩衝材のような流れの制限の使用により、流速および乱流が低減するゾーンである。静かな流れのゾーン５０での低い流速は、粒状の混入物がそこに沈降し、そして堆積できるようにする。図８の態様は、反応槽中での蒸気の流速が高い場合、または反応槽が半球状の反応槽ヘッド代
わりに楕円形の上部反応槽ヘッド２２を有する場合に、スケール収集壁３０のために上部反応槽ヘッド２２で利用できる容積が不十分な反応槽で使用することができる。
【００５６】
これから図８Ａおよび８Ｂについて言及し、反応槽は円筒状壁２３および楕円形の上部ヘッド２２を有する。上部ヘッド２２には人道２５および入口ノズル２１が提供されている。円筒形の入口流路２６は入口ノズル２１からの入口ストリームをスケール収集および事前分配トレイ２０付近の場所にまで下降するように向ける。円形のそらせ板５１が入口流路２６の下に設置されて入口ストリームの高い速度を解消するかまたは減じる。スケール収集および事前分配トレイ２０は、垂直のスロット型の堰３１を有する方形トレイ板３２からなる。堰３１の上の部分に液体流のために意図された長方形のスロット３５が提供されている。トレイ３２付近の流体の流速および乱流を減じて粒状不純物がトレイ板３２上のワイヤーメッシュに沈降し、そして堆積できるようにするために、ワイヤーメッシュが充填された静かな流れのゾーン５０がトレイ板３２に提供される。液体が分配ユニット３４の蒸気入口４５に入ることを防ぐために、分配ユニット３４間のレーンに沿った方向に液体がスロット３５を出るように、トレイ板３２およびスロット３５は配置され、そして方向付けられる。
【００５７】
図９Ａおよび図９Ｂについて言及し、反応槽は円筒状壁２３および半球状の上部ヘッド２２を有する。このヘッド２２には人道２５および入口ノズル２１が提供されている。円筒状の入口流路２６は入口ノズル２１からの入口ストリームを、円筒状の壁５２および無穴の円形底板５４からなる入口バスケット５５の中に下降させる。円筒状の壁５２はスロット５３により穿孔されている。スケール収集および事前分配トレイ２０は方形トレイ板３２および垂直にスロットを切った堰３１からなる。堰３１の上の部分には液体流を意図した長方形のスロット３５が提供されている。トレイ板３２付近の流体の流速および乱流を減らし、粒状不純物がワイヤーメッシュ内およびトレイ板３２上に沈降そして堆積できるようにするために、ワイヤーメッシュからなる静かな流れのゾーン５０がトレイ板３２上に提供されている。入口流路２６およびバスケット５５の目的は、液体を静かな流れのゾーン５０に下降させることであり、一方、蒸気のほとんどは入口流路２６から微細分配トレイ３３へと道４４を取ることになる。安定で、しかもほぼ水平の液体レベルが液体トラフ４２で樹立され、そして個々のスロット３５への液体の等しい分配が確実となる。トレイ板３２およびスロット３５は、液体が分配ユニット３４の蒸気入口４５に入ることを防ぐために、液体が分配ユニット３４間のレーンに沿った方向にスロットを出るように設置され、そして方向付けられる。
【００５８】
図２Ａ、８Ａおよび９Ａに説明するように、関連する衝突デバイスを有する入口流路２６を設計する幾つかの方法がある。重要な設計上の観点は、蒸気、液体および固体を事前分配トレイ２０上で分離できるようにするために、そして固体混入物がトレイ板３２上に沈降そして堆積できるようにするために、入口ノズル２１からの流体をスケール収集および事前分配トレイ２０のできる限り近くに運ぶこと、および流体をできる限り低い速度で事前分配トレイ２０に出すことである。一般に入口流路２６を出る流体ストリームの垂直速度成分は、第二またはより下のそらせ板２９（図２Ａ）、５１（図８Ａ）、５４（図９Ａ）の使用により減じられ、そして水平の速度成分は流体ストリームが通過しなければならない入口流路壁２６またはバスケット５２中の穿孔２８および５３の使用により減じることができる。好ましくは液体および固体混入物はできる限り事前分配トレイ２０近くに向けられるべきであり、一方、蒸気は、好ましくは蒸気が道４４を介して事前分配トレイ２０をバイパスできるように、より高い高度の入口流路から出るべきである。これは図２Ａの環状リング２７の中央開口からの膨張（ｅｘｐａｎｓｉｏｎ）からの下降流（ｄｏｗｎｓｔｒｅａｍ）、または図９Ａのバスケット５２への入口流路２６からの膨張からの下降流のような入口通路の膨張から蒸気の下降流用の開口を設けることにより達成することができる。これらの膨張では、より高い密度により液体は垂直下降方向に進む傾向を有し
、一方、蒸気はより容易に逸れ、そして図２Ａの開口２８の上部を通過するか、あるいは図９Ａの入口流路２６とバスケット５２との間の環状領域を通過する。
【００５９】
図２Ａ、８Ａおよび９Ａのトレイ３２は、一般に水平に近い。図２Ａ、８Ａおよび９Ａの堰３１の高さは、一般に１００から４００ｍｍの間である。図２Ｅ、８Ｂおよび９Ｂのスロット３５の高さは、一般に５０から３００ｍｍの間である。図２Ｅ、８Ｂおよび９Ｂのスロット３５の幅は、一般に５から５０ｍｍの間である。図２Ａのスケール収集壁３０の高さは、一般に２００から１２００ｍｍの間である。図８Ａおよび９Ａの静かな流れのゾーン５０の高さは、一般に１００から１２００ｍｍの間である。入口流路２６の直径または幅は、一般に１５０から１０００ｍｍの間である。
【図１】
0006560267.tif 000002
【図２Ａ．２Ｅ】
0006560267.tif 000003
【図２Ｂ】
0006560267.tif 000004
【図２Ｃ−２Ｄ】
0006560267.tif 000005
【図３】
0006560267.tif 000006
【図４】
0006560267.tif 000007
【図５Ａ−５Ｃ】
0006560267.tif 000008
【図６】
0006560267.tif 000009
【図７】
0006560267.tif 000010
【図８Ａ−８Ｂ】
0006560267.tif 000011
【図９Ａ−９Ｂ】
0006560267.tif 000012